(57)【特許請求の範囲】
【請求項１】
外郭を構成する本体ハウジングと、前記本体ハウジングに設けられ、使用者の肌に接触して通電する電極部と、を有する美容装置において、
前記電極部は、前記肌に食い込んで肌を押圧する食い込み部を有し、
前記前記本体ハウジングの一端に前記電極部が取り付けられており、
前記本体ハウジングの他方側には、前記電極部の本体ハウジングへの取付方向と交差する方向に延在する把持部を有しており、
前記電極部の本体ハウジングへの取付方向が水平となるようにするとともに、前記把持部の先端が下端となるようにした状態で、前記電極部の上部に前記食い込み部が形成されており、
前記電極部は、前記肌に当接する当接面と、柱状に形成される柱状部と、を有しており、
前記当接面は、凸状に形成された凸状部を有しており、
前記凸状部が、前記当接面における前記食い込み部側に形成されており、かつ、下まぶたの膨らみに接触する三日月形状をしていることを特徴とする美容装置。
【請求項２】
前記食い込み部は、前記電極部の前記当接面における前記柱状部との境界に形成された湾曲部であり、
前記凸状部は、断面視で前記湾曲部から連続するように形成された円弧部であることを特徴とする請求項１に記載の美容装置。
【発明の詳細な説明】
【技術分野】
【０００１】
本発明は、使用者の肌に当接させて保湿の補助を行う美容装置に関するものである。
【背景技術】
【０００２】
従来、美容装置として、把持部が一体に形成された本体ケーシングの表面に、使用者の肌に対して美容を行うための電気を通電する電極部を設けたものが知られている（例えば、特許文献１参照）。
【０００３】
この特許文献１では、電極部は、上面と立ち上がり部とを有する略錐台形状に形成されており、電極部の上面には、少なくとも把持部側に膨らんだ曲線部と保持部の長手方向に沿った直線部とが設けられている。
【０００４】
そして、曲線部と立ち上がり部とを第１円弧面で結ぶとともに、直線部と立ち上がり部とを第２円弧面で結び、第１円弧面を第２円弧面よりも曲率が小さくなるようにしている。
【０００５】
かかる構成とすることで、使用者の顔面の施術、特に小鼻周りの施術をより良好に行うことが可能となる。
【先行技術文献】
【特許文献】
【０００６】
【特許文献１】特開２０１１−０７８５０５号公報
【発明の概要】
【発明が解決しようとする課題】
【０００７】
しかしながら、上記従来の構成では、上面を肌に接触させた状態で、側面視でなだらかな角を有する曲線部が上面の上部に配置されることとなる。そのため、通常の使用状態で、上面を肌に当接させながら美容装置を平行移動させた場合、曲線部が肌上を滑るように移動してしまうこととなり、肌を引っ掛けてリフトアップすることが難しかった。
【０００８】
このように、上記従来の美容装置を用いた場合、肌を引っ掛けてリフトアップすることが困難であるという課題を有していた。
【０００９】
本発明は、前記従来の課題を解決するもので、肌の細部への施術のみならず、肌のリフトアップ効果による美容効果を得ることも可能な美容装置を提供することを目的とする。
【課題を解決するための手段】
【００１０】
前記従来の課題を解決するために、本発明の美容装置は、外郭を構成する本体ハウジングと、前記本体ハウジングに設けられ、使用者の肌に接触して通電する電極部と、を有し、前記電極部は、前記肌に食い込んで肌を押圧する食い込み部を有するものである。
【００１１】
これによって、食い込み部が肌に食い込むこととなり、食い込み部によって肌を引っ掛けて押すことが可能となる。
【発明の効果】
【００１２】
本発明の美容装置を用いれば、肌の細部への施術のみならず、リフトアップ効果による美容効果が得られ、肌のたるみや目元のしわなどを解消することが可能となる。
【図面の簡単な説明】
【００１３】
【図１】本発明の実施の形態１における美容装置の一使用例を分解して示す側面図である。
【図２】本発明の実施の形態１における美容装置にシート保持具を取り付けた状態を示す側面図である。
【図３】本発明の実施の形態１における美容装置にシート保持具を取り付けた状態を示す正面図である。
【図４】図３のＡ−Ａ断面図である。
【図５】図３のＢ−Ｂ断面図である。
【図６】本発明の実施の形態１における美容装置のシート保持具を取り外した状態を示す斜視図である。
【図７】本発明の実施の形態１における美容装置のシート保持具を取り外した状態を示す正面図である。
【図８】本発明の実施の形態１における美容装置のシート保持具を取り外した状態を示す背面図である。
【図９】本発明の実施の形態１における美容装置のシート保持具を取り外した状態を示す側面図である。
【図１０】本発明の実施の形態１における美容装置のシート保持具を取り外した状態を示す平面図である。
【図１１】図７のＣ−Ｃ断面図である。
【図１２】本発明の実施の形態１における美容装置の電極部の露出分を拡大して示す斜視図である。
【図１３】本発明の実施の形態１における美容装置の電極部を拡大して示す側断面図である。
【図１４】本発明の実施の形態１における美容装置の回路構成を模式的に示す図である。
【図１５】本発明の実施の形態１における美容装置の各スイッチ操作による切り替えパターンを説明する図であって、（ａ）はモード切替スイッチを操作した際に切り替えられるモードを説明する説明図、（ｂ）はレベル切替スイッチを操作した際に切り替えられるレベルを説明する説明図、（ｃ）は温度切替スイッチを操作した際に切り替えられる温度を説明する説明図である。
【図１６】本発明の実施の形態１における美容装置の通電時における通電特性を模式的に示す図であって、（ａ）はクレンジングモード時の特性図、（ｂ）は保湿モード時の特性図である。
【図１７】本発明の実施の形態１における美容装置の振動モードのシーケンス図であって、（ａ）は振動モードＡのシーケンス図、（ｂ）は振動モードＢのシーケンス図、（ｃ）は振動モードＣのシーケンス図である。
【発明を実施するための形態】
【００１４】
本発明の実施の形態は、外郭を構成する本体ハウジングと、前記本体ハウジングに設けられ、使用者の肌に接触して通電する電極部と、を有する美容装置において、前記電極部は、前記肌に食い込んで肌を押圧する食い込み部を有するものである。
【００１５】
これによって、食い込み部が肌に食い込んで、肌が押圧されることとなり、食い込み部によって肌を引っ掛けて押すことが可能となる。
【００１６】
したがって、食い込み部を肌に食い込ませた状態で美容装置を平行移動させた場合、食い込み部が肌を引っ張った状態で肌上を移動することとなるため、肌をリフトアップさせることができるようになる。このように、電極部に食い込み部を設けることで、肌の施術の際に、肌のたるみや目元のしわなどを解消するリフトアップ効果が得られるようになる。
【００１７】
また、前記本体ハウジングの一端に前記電極部が取り付けられており、前記本体ハウジングの他方側には、前記電極部の本体ハウジングへの取付方向と交差する方向に延在する把持部を有しているものである。そして、前記電極部の本体ハウジングへの取付方向が水平となるようにするとともに、前記把持部の先端が下端となるようにした状態で、前記電極部の上部に前記食い込み部が形成されているものである。
【００１８】
これによって、電極部が把持部の上方に位置する状態で、把持部を手で把持した際、すなわち、美容装置の通常の使用状態で、電極部の上部に食い込み部が存在することになる。こうすれば、力を入れやすい通常の使用状態での施術によって、肌をリフトアップさせやすくなるため、リフトアップさせるための動作が使用者の負担とならないようにすることができる。その結果、施術をより長時間にわたって行うことができるようになる。
【００１９】
また、前記電極部は、前記肌に当接する当接面と、柱状に形成される柱状部と、を有しており、前記当接面は、凸状に形成された凸状部を有しており、前記凸状部が、前記当接面における前記食い込み部側に形成されているものである。
【００２０】
これによって、電極部の当接面における凸状部以外の部位が、肌のどこかに当接する前に、凸状部を肌の施術予定部位に当接させることが可能となる。
【００２１】
特に、目元の施術の際には、電極部の当接面における凸状部以外の部位が、顔のどこかに当接する前に、凸状部を目元における特に下まぶたの膨らみに当接させることが可能となる。つまり、下まぶたの膨らみにのみ電極部（凸状部）を当接させることができるようになる。
【００２２】
したがって、下まぶたの膨らみ以外の部位に電極部を当接させることなく、目元に押圧をかけて施術することが可能となり、目元のしわをより効果的に解消することができるようになる。
【００２３】
さらに、前記食い込み部は、前記電極部の前記当接面における前記柱状部との境界に形成された湾曲部であり、前記凸状部は、断面視で前記湾曲部から連続するように形成された円弧部となっているものである。
【００２４】
これによって、当接面の凸状部以外の部位である食い込み部と凸状部とが滑らかに連続して形成されることとなり、食い込み部によるリフトアップ時に凸状部が骨などに引っ掛かってしまうのが抑制される。その結果、リフトアップ時に使用者が痛みを感じてしまうのが抑制され、よりスムーズにリフトアップを行うことができるようになる。
【００２５】
以下、本発明の実施の形態について、図面を参照しながら説明する。なお、この実施の形態によって本発明が限定されるものではない。
【００２６】
以下では、電極部の本体ハウジングへの取付方向を前後方向ＸまたはＸ方向として説明する。そして、本体ハウジングにおける電極部が配置されている側を前後方向Ｘの前方として説明する。
【００２７】
また、電極部の本体ハウジングへの取付方向（前後方向Ｘ）が水平となるようにするとともに、把持部の先端が下端となるように美容装置を配置した状態における上下方向を、上下方向ＺまたはＺ方向として説明する。なお、かかる状態における上方を上下方向Ｚの上方と規定する。
【００２８】
そして、前後方向Ｘに直交するとともに上下方向Ｚに直交する方向を幅方向ＹまたはＹ方向として説明する。
【００２９】
（実施の形態１）
図１〜図１１に示すように、本実施の形態１にかかる美容装置１は、本体部１０と、本体部１０に連設され、使用者の手で把持することが可能な把持部２０と、本体部１０に設けられ、使用者の肌に接触して通電する電極部３０と、を備えている。
【００３０】
本体部１０は、中空部Ｓ１を有する本体ハウジング１１を有しており、この本体ハウジング１１が美容装置１の外郭を構成している。本実施の形態１では、本体ハウジング１１は、略上下方向Ｚに延在する細長い円筒状をしている。すなわち、略上下方向Ｚに沿う方向が、本体ハウジング１１の長手方向になっている。
【００３１】
そして、図１および図４に示すように、本体ハウジング１１の一端（図１の前方かつ上方）１１ａに、電極部３０が設けられている。
【００３２】
この電極部３０は、導電性材料である金属を用いて形成することができる。このとき、人体に対する影響が低い金属を用いて形成するのが好ましい。本実施の形態１では、金属アレルギーの問題が生じてしまうのを抑制することが可能なチタンを用いて電極部３０を形成している。
【００３３】
なお、電極部３０は、使用者の肌に当接する当接面３３を有しており、この当接面３３は、図１に示す状態で、ＹＺ平面にほぼ沿うように延在している。電極部３０の当接面３３をＹＺ平面にほぼ沿うようにすることで、当接面３３のほぼ全面を使用者の肌（例えば、顔等）に対向させることが可能となる。
【００３４】
そして、本体ハウジング１１は、電極部３０が設けられている一端１１ａから前後方向Ｘの後方に向けて延在する後方延在部１１ｂと、後方延在部１１ｂに連設されて、後方かつ上方に凸の湾曲状に形成された湾曲部１１ｃと、を備えている。
【００３５】
この後方延在部１１ｂと湾曲部１１ｃとの境界部分（連設部分）には、全周に亘って外方に突出するデザインリング１５ａが設けられており、このデザインリング１５ａによって美容装置１の意匠性が高められている。
【００３６】
さらに、本体ハウジング１１は、湾曲部１１ｃに連設されて、後方かつ下方に向けて延在する傾斜延在部１１ｄを備えている。そして、図１における傾斜延在部１１ｄの下端が先端（他端）１１ｅとなっている。
【００３７】
本実施の形態１では、本体ハウジング１１の後方延在部１１ｂが本体部１０の外郭を構成しており、湾曲部１１ｃおよび傾斜延在部１１ｄが、把持部２０の外郭を構成している。そして、主に傾斜延在部１１ｄが把持部２０として用いられるようになっている。
【００３８】
したがって、本実施の形態１にかかる美容装置１は、電極部３０の本体ハウジング１１への取付方向（Ｘ方向）と交差する方向に延在する把持部２０を有している。
【００３９】
このように、本実施の形態１では、本体ハウジング１１に把持部２０の機能を持たせ、本体ハウジング１１が把持部２０を兼ねるようにしている。
【００４０】
なお、本体ハウジング１１が本体部１０のみの外郭を構成し、本体ハウジング１１とは別に把持部を構成するハウジングを設け、この把持部を構成するハウジングを本体ハウジング１１に連設することで、把持部２０を形成するようにしてもよい。すなわち、本体部１０とは別体に把持部２０を設けるようにしてもよい。
【００４１】
また、本体部１０（デザインリング１５ａよりも前方の部位）が把持部２０を兼ねるようにすることも可能である。この場合、例えば、図１における本体部１０の側面部分（外周部分）を指で把持し、かかる状態で、電極部３０を肌に当接させるような使用方法とすることが可能である。
【００４２】
また、把持部２０として機能する傾斜延在部１１ｄの背面（後面）１１ｆには、電極パネル２１が外部に露出するように設けられている。このように、外部に露出するように電極パネル２１を設けることで、使用者が把持部２０を手で把持した際に、使用者の掌を電極パネル２１に接触させることが可能となる。
【００４３】
この電極パネル２１は、例えば導電性樹脂等の導電材料で形成されており、電極部３０とは反対の極となるものである。すなわち、電極部３０がプラス極となる場合には、電極パネル２１はマイナス極となり、電極部３０がマイナス極となる場合には、電極パネル２１はプラス極となる。
【００４４】
また、傾斜延在部１１ｄの正面（前面）１１ｇには、後述する各種スイッチの操作ボタンが設けられている。
【００４５】
このように、本体ハウジング１１の形状を上述したような形状とすることで、図１に示す状態において、把持部２０として用いられる傾斜延在部１１ｄの全体を、電極部３０の当接面３３よりも後方に位置させることが可能となる。
【００４６】
その結果、傾斜延在部１１ｄを把持した使用者の手が、当接面３３よりも前方に位置してしまうのが抑制され、当接面を肌に接触させる際に、手が先に肌等に当たってしまうのを抑制することができるようになる。
【００４７】
さらに、本実施の形態１にかかる美容装置１は、コットンシートなどの施術用部材６０を保持するシート保持具７０を有している。施術用部材６０は、例えば、美容液等を含浸させた状態で肌に当接させることで美容液等を肌に導入する際に用いられるものであり、市販品等公知のものを用いることができる。
【００４８】
また、施術用部材６０は、電極部３０の当接面３３を覆った状態で、シート保持具７０によって電極部３０に保持されるものである。
【００４９】
シート保持具７０は、ポリプロピレンなどの耐薬品性が強くかつ弾性を有する材料で形成するのが好ましい。
【００５０】
このシート保持具７０は、図１、図２および図４に示す状態で、前方に位置し、ＹＺ平面に沿って延在する前壁部７１と、前壁部７１に連設され、後方に向かうにつれて拡開するテーパ壁部７２と、を備えている。
【００５１】
そして、前壁部７１の中央部には、電極部３０が挿通される挿通穴７１ａが形成されている。この挿通穴７１ａは、電極部３０の正面視における輪郭形状よりも若干大きな穴となっており、挿通穴７１ａの内周面７１ｂと電極部３０との間に隙間ｄ１ができるようになっている。そして、内周面７１ｂと電極部３０との間に施術用部材６０が挟持されるようになっている。
【００５２】
また、シート保持具７０を本体ハウジング１１に取り付けた状態で、テーパ壁部７２の内面７２ａと本体部１０との間にも隙間ｄ２が形成されるようになっている。
【００５３】
このように、シート保持具７０を本体ハウジング１１に取り付けた状態で、シート保持具７０と電極部３０や本体部１０との間に隙間ｄ１，ｄ２が形成されるようにすることで、シート状の施術用部材６０を無理なく保持できるようにしている。この隙間ｄ１，ｄ２は、約１．５ｍｍとなるようにするのが好ましい。
【００５４】
かかる構成とすることで、シート保持具７０を本体ハウジング１１に取り付けた際に、コットンシートなどの施術用部材６０が、シート保持具７０によって圧縮されながら電極部３０の外郭に沿う形状となって保持されることとなる。
【００５５】
ここで、本体部１０は、後方に向かうにつれて拡開するテーパ状に形成されており、図１におけるＺ方向上部よりも、Ｚ方向下部のほうが、Ｘ方向とのなす角が大きくなるように形成されている。
【００５６】
また、テーパ壁部７２も、図１におけるＺ方向上部よりも、Ｚ方向下部のほうが、Ｘ方向とのなす角が大きくなるように形成されている。
【００５７】
そして、本体部１０の図１におけるＺ方向上部と、テーパ壁部７２の図１におけるＺ方向上部とは、Ｘ方向とのなす角がほぼ等しくなっている。一方、本体部１０の図１におけるＺ方向下部よりも、テーパ壁部７２の図１におけるＺ方向下部のほうが、Ｘ方向とのなす角が大きくなっている。
【００５８】
したがって、シート保持具７０を本体ハウジング１１に取り付けた状態では、下部のほうが、テーパ壁部７２の内面７２ａと本体部１０との間の隙間ｄ２が上部よりも大きくなる。
【００５９】
また、テーパ壁部７２の幅方向Ｙの両側における上下方向Ｚの中央部よりも若干上方の位置には、シート保持具７０を本体ハウジング１１に取り付けた状態で、デザインリング１５ａよりも後方に位置する延設部７２ｂがそれぞれ形成されている（図５参照）。
【００６０】
さらに、各延在部７２ｂの内面７２ａには、内側に向けて突出する引っ掛け部７２ｃがそれぞれ設けられている。そして、シート保持具７０を本体ハウジング１１に取り付ける際には、この引っ掛け部７２ｃがデザインリング１５ａを乗り越え、デザインリング１５ａの後方側に引っ掛けられることになる。こうすることで、シート保持具７０が本体ハウジング１１に取り付けられるようにしている。
【００６１】
このように、引っ掛け部７２ｃがデザインリング１５ａを乗り越えるようにすることで、使用者にクリック感を与えることができるようになって、シート保持具７０が本体ハウジング１１に取り付けられたか否かをより容易に判断することができるようになる。
【００６２】
ところで、テーパ壁部７２の下端部７２ｄと本体ハウジング１１との間には、比較的大きな隙間（好ましくは５ｍｍ以上の隙間）ｄ３が形成されている。そのため、指等で下端部７２ｄを本体ハウジング１１側に押すと、下端部７２ｄが本体ハウジング１１に近づくように移動することとなる。
【００６３】
すると、下端部７２ｄの近傍の内面７２ａが本体部１０に当接する。かかる状態で、下端部７２ｄを指等で本体ハウジング１１側にさらに押すと、下端部７２ｄの近傍の内面７２ａと本体部１０との当接部分を支点として、シート保持具７０が図１の反時計回りに回動する（図２の矢印参照）。
【００６４】
その結果、デザインリング１５ａに引っ掛けられている引っ掛け部７２ｃには、デザインリング１５ａから外れる方向（前方）に移動する力が生じる。そして、この力によって、引っ掛け部７２ｃがデザインリング１５ａから外れ、引っ掛け部７２ｃとデザインリング１５ａとの係止が解除される。
【００６５】
なお、下端部７２ｄの近傍の内面７２ａが本体部１０に当接する前に、下端部７２ｄが本体ハウジング１１に当接するような構成とすることも可能である。
【００６６】
このように、本実施の形態１では、梃子の原理を利用して、引っ掛け部７２ｃとデザインリング１５ａとの係止を解除できるようにしている。このような構成とすることで、施術用部材６０に触れることなく、シート保持具７０を本体ハウジング１１から取り外すことができる。その結果、手を汚すことなく（手に美容液等の含浸成分が付着することなく）施術用部材６０を取り外すことが可能となる。
【００６７】
また、シート保持具７０を本体ハウジング１１から取り外す際に、引っ掛け部７２ｃ等に爪（付け爪含む）を引っ掛ける必要がなくなるため、爪が割れたり付け爪が外れたりしてしまうのを抑制することができるという利点もある。
【００６８】
本体ハウジング１１は、例えば、合成樹脂で形成された複数の分割体を継ぎ合わせることで、内部に上述した中空部Ｓ１が形成されるようにすることが可能である。そして、この中空部Ｓ１内には、制御回路基板９０や充電池９２等、各種の電気製品が内蔵されることとなる。なお、本体ハウジング１１を構成する複数の分割体は、ネジを用いたり、分割体同士を嵌合させたりすることで継ぎ合わせることができる。
【００６９】
本実施の形態１では、図２および図３に示すように、前側ハウジング１２と後側ハウジング１３とを継ぎ合わせることで筒状体が形成されるようになっている。
【００７０】
前側ハウジング１２は後方および上方に開口しており、前側ハウジング１２の上端には、電極部３０が挿通される挿通穴１２ａが形成されている。また、挿通穴１２ａの周縁部には、フランジ部１２ｂが形成されている。
【００７１】
そして、電極部３０は、Ｘ方向後方から挿通穴１２ａに挿通して、電極部３０のフランジ部３１の前面を前側ハウジング１２のフランジ部１２ｂの後面に当接させることで、本体ハウジング１１に取り付けられている。
【００７２】
また、前側ハウジング１２は、略後方に向けて延在する周壁部１２ｃと、周壁部１２ｃに連設された奥壁部２１ｄとを有している。そして、周壁部１２ｃと奥壁部２１ｄとで、略前方に開口して各種スイッチが収容されるスイッチ収容部１２ｅが形成されている。
【００７３】
本実施の形態１では、スイッチ収容部１２ｅ内には、モード切替スイッチ８１の操作ボタン８１ａと、レベル切替スイッチ８２の操作ボタン８２ａと、温度切替スイッチ８３の操作ボタン８３ａとが収容されている。
【００７４】
具体的には、図３に示すように、正面視で、スイッチ収容部１２ｅの下部中央に、モード切替スイッチ８１の操作ボタン８１ａが収容されている。そして、スイッチ収容部１２ｅの上部左に、レベル切替スイッチ８２の操作ボタン８２ａが収容されており、スイッチ収容部１２ｅの上部右に、温度切替スイッチ８３の操作ボタン８３ａが収容されている。
【００７５】
後述するように、レベル切替スイッチ８２の操作ボタン８２ａを操作することで選択されたレベルおよび温度切替スイッチ８３の操作ボタン８３ａを操作することで選択された温度は、電源をオフにした際に選択されている状態が記憶されるようになっている。したがって、美容装置１を使用する際には、モード切替スイッチ８１の操作ボタン８１ａを操作する機会が、他の２つのボタンと較べて多くなる。
【００７６】
そのため、本実施の形態１では、把持部２０を把持した際の親指に最も近くなるスイッチ収容部１２ｅの下部中央に、モード切替スイッチ８１の操作ボタン８１ａを収容するようにした。こうすれば、美容装置１の使い勝手をより向上させることができるようになる。
【００７７】
スイッチ収容部１２ｅの開口は、スイッチハウジング１４によって覆われており、このスイッチハウジング１４によって、３つの操作ボタンが、本体ハウジング１１の正面（前面）１１ｇ上でそれぞれ隔離されるようにしている。こうすれば、いずれかの操作ボタンを操作する際に、誤って他の操作ボタンも操作してしまうのを抑制することができるようになる。
【００７８】
後側ハウジング１３は前方および下方に開口しており、上述した電極パネル２１が設けられている。また、後側ハウジング１３における電極パネル２１で覆われる部位には、前方に向けて突出する筒部１３ａが設けられており、筒部１３ａ内には、前後両方に開口した電極コイルバネ収容部１３ｂが形成されている。
【００７９】
そして、電極コイルバネ収容部１３ｂ内には、電極コイルバネ１６が圧縮した状態で収容されており、電極コイルバネ１６の一端が電極パネル２１の内面に当接するとともに、他端が、空間部Ｓ１内に配置された制御回路基板９０に当接している。したがって、電極パネル２１を後側ハウジング１３に取り付けた状態で、制御回路基板９０は、電極コイルバネ１６によって前方に付勢されることとなる。
【００８０】
このとき、電極コイルバネ１６の他端は、制御回路基板９０に形成された回路パターンＰに当接しており、電極パネル２１と回路パターンＰとが電極コイルバネ１６を介して電気的に接続されている。
【００８１】
電極コイルバネ１６は、電極パネル２１に電気を通電させるものであるため、電解腐食が起き難い材料であるステンレス鋼を用いて形成するのが好ましい。
【００８２】
こうすれば、電極パネル２１および電極コイルバネ１６が腐食してしまうのが抑制され、導電性を比較的良好に保つことができるようになる。その結果、より確実に電極部３０と電極パネル２１とに通電することができるようになる。
【００８３】
また、電極コイルバネ１６を用いて電極パネル２１と回路パターンＰとを電気的に接続させることで、端子やリード線を用いる必要がなくなり、コストの削減を図ることが可能となる。
【００８４】
また、本実施の形態１では、美容装置１が電極部３０を温かくする機能を有するようにして、美容効果を高めることができるようにしている。
【００８５】
具体的には、美容装置１に加熱部４０を設け、当該加熱部４０によって電極部３０が温められるようにしている。
【００８６】
加熱部４０は、ヒータ４１と、伝熱板４２と、温度検知素子４２と、を備えている。本実施の形態１では、電極部３０の内側に、電極部３０の内面形状と略同じ形状をした伝熱板４２が伝熱剤を介して配置されており、電極部３０の内側と伝熱板４２との間には、温度を検知する温度検知素子４３が挟み込まれている。
【００８７】
伝熱板４２は、電極部３０側（Ｚ方向前側）とは反対側（Ｚ方向後ろ側）の面が平坦面となっており、この平坦面にヒータ４１が隙間なく当接できるようにしている。
【００８８】
さらに、ヒータ４１は、電極保持板４４に形成されたヒータ押さえバネ収容部４４ａに収容されたヒータ押さえバネ４５の反力によって、前方（電極部３０側）に付勢されている。
【００８９】
このヒータ押さえバネ４５はコイルスプリングであり、ヒータ押さえバネ収容部４４ａに形成された突部４４ｂに挿通された状態で、ヒータ４１を前方（電極部３０側）に付勢している。
【００９０】
電極保持板４４は、ＹＺ平面に延在する基底部４４ｃと、基底部４４ｃに連設された周壁部４４ｄと、を有している。そして、この電極保持板４４によって電極部３０が固定されている。
【００９１】
具体的には、周壁部４４ｄの前側が、電極部３０の後方に開口する開口部３０ａから挿入されて、電極部３０の柱状部３２に嵌合されている。そして、電極部３０のフランジ部３１が、前側ハウジング１２のフランジ部１２ｂと基底部４４ｃに形成されたフランジ部４４ｅとで挟持されている。こうすることで、電極部３０が電極保持板４４によって固定されている。
【００９２】
なお、本実施の形態１では、Ｏリング１５ｂを用いて、電極部３０と電極保持板４４の周壁部４４ｄとの隙間から美容液等の液体が浸入しないようにしている。
【００９３】
また、電極保持板４４は、周壁部４４ｄの後側を本体ハウジング１１（前側ハウジング１２）の内面に嵌合させることで、本体ハウジング１１に固定されている。
【００９４】
このとき、Ｏリング１５ｃを用いて、本体ハウジング１１と電極保持板４４の周壁部４４ｄとの隙間から美容液等の液体が浸入しないようにしている。
【００９５】
なお、前側ハウジング１２と後側ハウジング１３との継ぎ目、後側ハウジング１３と電極パネル２１との間の隙間、前側ハウジング１２とスイッチハウジング１４との隙間、および、スイッチハウジング１４と各操作ボタンとの隙間からも、美容液等の液体が浸入しないようになっている。
【００９６】
こうすることで、美容装置１の内部に液体が侵入してしまうのを抑制することができるようになり、内蔵された電気製品が液体によって故障してしまうのを抑制することができるようになる。その結果、電気製品が内蔵された美容装置１の液体との併用が可能となる。
【００９７】
ヒータ４１は、両面にある電極板に通電させて熱を発生するものであり、伝熱板４２は熱伝導率がよいアルミ材で形成されている。
【００９８】
ところで、電極部３０とヒータ４１の電極板とが伝熱板４２を介して通電してしまうのを抑制するためには、ヒータ４１の電極板と伝熱板４２のアルミとを絶縁させる必要がある。そこで、本実施の形態１では、ヒータ４１が電極板とともにポリイミドシートで巻かれるようにしている。さらに、伝熱板４２のアルミにはアルマイト処理を施している。
【００９９】
こうすることで、電極部３０がヒータ４１の電極板から絶縁されることとなるため、使用者が意図する操作以外の操作によって、電極部３０が通電されてしまうのを抑制することができるようになる。
【０１００】
なお、ヒータ４１は、セラミックヒータとすることもできるし、線ヒータとすることもできる。
【０１０１】
また、電極保持板４４は、ヒータ押さえバネ４５と電極コイルバネ４６と端子４７を保持している。
【０１０２】
電極コイルバネ４６は、電極部３０に当接して、当該電極部３０に電気を通電するものである。この電極コイルバネ４６には、制御回路９１が搭載された制御回路基板９０からリード線Ｈおよび端子４７を介して電気が通電されるようになっている。すなわち、電極コイルバネ４６は、リード線Ｈおよび端子４７を介して制御回路基板９０に電気的に接続されている。
【０１０３】
そして、電極コイルバネ４６と電極部３０も電気的に接続されているため、電極部３０にも電気が通電されることとなる。
【０１０４】
なお、本実施の形態１では、電極コイルバネ４６は、電極部３０に電気を通電させるものであるため、電解腐食が起き難い材料であるステンレス鋼を用いて形成している。
【０１０５】
これにより、電極部３０および電極コイルバネ４６が腐食してしまうのが抑制され、導電性を比較的良好に保つことができるようになる。その結果、より確実に電極部３０と電極パネル２１とに通電することができるようになる。
【０１０６】
このように、本実施の形態１では、電極部３０と電極パネル２１とが電気的に接続されている。したがって、使用者の掌が電極パネル２１に接触するように把持部２０を手で把持し、電極部３０の当接面３３を使用者の肌に当接させることで、電極部３０と電極パネル２１とが使用者を介して導通状態となる。
【０１０７】
また、本実施の形態１では、図４および図５に示すように、本体部１０の内部に、振動を電極部３０に付与する振動部５０を設けている。
【０１０８】
本実施の形態１では、モータ本体５１ａとモータ軸５１ｂとを有するモータ５１を用いることで振動部５０を形成している。具体的には、モータ５１のモータ軸５１ｂに偏心錘５２を設けることで振動部５０を形成している。
【０１０９】
偏心錘５２は、モータ軸５１ｂに挿入固定される円筒状の固定部５２ａと固定部の外周部に一体に形成された半円柱状の偏心部５２ｂとで構成されている。この偏心錘５２をモータ軸５１ｂに取り付けた状態で、モータ軸５１ｂを回転させると、モータ５１に偏心錘５２による遠心力が働き、この遠心力によって電極部３０が振動することとなる。
【０１１０】
さらに、本実施の形態１では、振動部５０は、電極保持板４４とモータ保持板４８との間に挟持されている。
【０１１１】
モータ５１は、リード線Ｈを介して制御回路基板９０に電気的に接続されており、制御回路９１によって駆動が制御されている。
【０１１２】
このように、上述したような振動部５０を設けることで、電極部３０を機械的に振動させることができるようになって、電極部３０を肌に当接させた状態で、使用者が美容装置１を直接動かさなくても、肌に物理刺激を与えることができるようになる。
【０１１３】
制御回路基板９０には、制御回路９１が搭載されている。この制御回路９１は、電極部３０にリード線Ｈを介して通電する電気を制御する回路と、温度検知素子４３の信号をリード線Ｈを介して受け、電極部３０に与える熱を制御する回路と、モータ５１をリード線Ｈを介して回転させる電気制御回路と、を有している。
【０１１４】
また、本実施の形態１では、本体ハウジング１１の中空部Ｓ１内に充電池９２が内蔵されており、充電池９２から制御回路基板９０に電気が供給されるようにしている。
【０１１５】
充電池９２は、電池基台９３に形成された電池収容部９３ａに収容されている。このとき、電池収容部９３ａに設けられた電池陽極金具９３ｂに充電池９２の＋極が、電池収容部９３ａに設けられた電池陰極金具９３ｃに充電池９２の−極が、それぞれ当接するように充電池９２が電池収容部９３ａに収容される（図４参照）。
【０１１６】
電池陽極金具９３ｂおよび電池陰極金具９３ｃは、制御回路基板９０に電気的に接続されている。
【０１１７】
そして、本体ハウジング１１の先端（他端：下端）１１ｅ側には、ジャック（電源接続部）９４が形成されており、このジャック９４も、制御回路基板９０に電気的に接続されている。
【０１１８】
そして、ジャック９４に、外部電源に接続されたプラグ（電源供給用接続部）を嵌め込むことで、充電池９２が充電されるようになっている。
【０１１９】
次に、電極部３０の具体的な形状について、図１２および図１３を参照しながら説明する。
【０１２０】
電極部３０は、正面視（Ｘ方向から視た状態）で、上部に略水平に配置された直線状の上辺部３０ｂと、上辺部３０ｂのＹ方向両端からＺ方向下方かつＹ方向中央に延在する傾斜辺部３０ｃ、３０ｄと、を備えている。傾斜辺部３０ｃ、３０ｄは、それぞれＹ方向外側に膨らむように若干湾曲している辺部である。
【０１２１】
そして、上辺部３０ｂのＹ方向一端と傾斜辺部３０ｃの上端とを滑らかな曲線で連結することで頂点部３０ｅが形成されている。また、上辺部３０ｂのＹ方向他端と傾斜辺部３０ｄの上端とを滑らかな曲線で連結することで頂点部３０ｆが形成されている。そして、傾斜辺部３０ｃの下端と傾斜辺部３０ｄの下端とを滑らかな曲線で連結することで頂点部３０ｇが形成されている。
【０１２２】
このように、電極部３０の正面視における輪郭形状は、上辺部３０ｂおよび傾斜辺部３０ｃ、３０ｄの３つの辺部、および、３つの頂点部３０ｅ、３０ｆ、３０ｇとで形成される略逆三角形状をしている。こうすることで、通常の使用状態で、傾斜辺部３０ｃや傾斜辺部３０ｄを鼻と頬との境界部分により容易に当接させることができる。その結果、肌（使用者の顔面）の細部にわたって、きめ細かく施術を行うことができるようになる。このように、電極部３０の正面視における輪郭形状を略逆三角形状とすることで、通常の使用状態で、電極部３０の正面視における輪郭が鼻先等に当たってしまうことを抑制することができるようになる。
【０１２３】
また、電極部３０は、前側ハウジング１２のフランジ部１２ｂと基底部４４ｃに形成されたフランジ部４４ｅとで挟持されるフランジ部３１を備えている。さらに、電極部３０は、フランジ部３１に連設されて、前方に向けて立ち上がるように延在する柱状部３２と、柱状部３２の前端に連設されて、使用者の肌に接触する当接面３３と、を備えている。また、電極部３０の後部には後方に開口する開口３０ａが形成されている。
【０１２４】
当接面３３は、柱状部３２の前端に連設されて、前方かつ内側（正面視における電極部３０の輪郭形状の内側）に向けて湾曲した湾曲部３３ａを備えている。この湾曲部３３ａは、正面視における電極部３０の輪郭形状の全周に亘って、断面視における円弧の曲率半径がほぼ一定となるように形成されている。
【０１２５】
また、本実施の形態１では、湾曲部３３ａは、柱状部３２の前端に滑らかに連続するように連設されている。
【０１２６】
具体的には、断面視で、湾曲部３３ａの柱状部３２の前端との交点Ｔ１における円弧の接線が柱状部３２の断面線と略一致するように、湾曲部３３ａを柱状部３２の前端に連設している。
【０１２７】
ここで、本実施の形態１では、電極部３０の当接面３３における柱状部３２との境界に形成された湾曲部３３ａの少なくとも一部に、肌に接触させたときに肌に食い込む食い込み部としての機能を持たせるようにした。
【０１２８】
具体的には、湾曲部３３ａの断面視における円弧の曲率半径を、肌への刺激が強くなりすぎてしまうのを抑制できる程度に大きくなるようにした。そして、湾曲部３３ａの断面視における円弧の曲率半径を、肌に食い込ませた際に、肌上を滑ってしまうのが抑制される程度に小さくなるようにした。
【０１２９】
すなわち、湾曲部３３ａを肌に食い込ませた状態で湾曲部３３ａを平行移動させた際に、食い込ませた肌も所定距離だけ一緒に移動し、所定距離を超えた場合には、滑るようにして湾曲部３３ａから離れる程度の食い込み状態となるように、湾曲部３３ａの断面視における円弧の曲率半径を設定している。
【０１３０】
なお、美容装置１の通常の使用の際には、肌にクリームや美容液が塗布されているため、何も塗布されていない肌に較べて滑りやすくなっている。そのため、上記の曲率半径Ｒ１は、滑りやすくなった肌に食い込ませて引き延ばすことができる程度の曲率半径となるように設定するのが好ましい。
【０１３１】
上記の点を考慮し、本実施の形態１では、湾曲部３３ａの断面視における円弧の曲率半径が約２．０ｍｍとなるようにしている。
【０１３２】
そして、本実施の形態１では、正面視で上辺部３０ｂとなる部位に形成された湾曲部３３ａを食い込み部としている。
【０１３３】
このように、正面視で上辺部３０ｂとなる部位に形成された湾曲部３３ａを食い込み部とすれば、下記の作用、効果を奏することができる。
【０１３４】
まず、電極部３０が上方に位置するように把持部２０を把持した状態で、肌（顔面）に当接面３３を当接させた際に、上辺部３０ｂとなる部位に形成された湾曲部３３ａを肌に食い込ませる。
【０１３５】
そして、上辺部３０ｂとなる部位に形成された湾曲部３３ａを肌に食い込ませながら当接面３３を上方に移動させることで、湾曲部３３ａの食い込みによって引っ掛けられた肌が湾曲部３３ａの移動に伴い上方に移動する。その後、湾曲部３３ａとともに移動した肌は、所定の距離だけ移動したら、滑るようにして元の位置（下方）に向かって移動する。この動作を繰り返し行うことで、肌を上方にリフトアップさせることができるようになる。
【０１３６】
なお、本実施の形態１では、正面視で上辺部３０ｂとなる部位に形成された湾曲部３３ａを食い込み部としている。しかしながら、上述したように、湾曲部３３ａは、正面視における電極部３０の輪郭形状の全周に亘って、断面視における円弧の曲率半径がほぼ一定（約２．０ｍｍ）となるように形成されている。
【０１３７】
そのため、正面視で上辺部３０ｂとなる部位以外に形成された湾曲部３３ａも食い込み部としての機能を有している。ただし、上辺部３０ｂとなる部位は、正面視で直線状に形成されているため、正面視で曲線状に形成されている部位よりも、肌を食い込ませて引っ張り上げやすくなっている。
【０１３８】
また、正面視で上辺部３０ｂとなる部位に形成された湾曲部３３ａを食い込み部としている。こうすることで、電極部３０の本体ハウジング１１への取付方向（Ｘ方向）が水平となるようにするとともに、把持部２０の先端１１ｅが下端となるようにした状態で、電極部３０の上部に食い込み部（湾曲部３３ａ）が形成されることとなる。
【０１３９】
さらに、本実施の形態１では、当接面３３は、凸状に形成された凸状部３３ｂを有している。
【０１４０】
具体的には、湾曲部３３ａの前端に連設される当接面３３の湾曲部３３ａ以外の面が平坦面ではなく前方に凸の湾曲面３３ｃとなるように形成している。
【０１４１】
そして、当接面３３の湾曲部３３ａ以外の面（湾曲面３３ｃ）を、１つの凸形状となるように形成している。このとき、当接面３３の湾曲部３３ａ以外の面の頂点Ｔが、正面視における電極部３０の輪郭形状の重心よりも上方に位置するように当接面３３の湾曲部３３ａ以外の面を形成している。
【０１４２】
なお、頂点Ｔは、当接面３３の湾曲部３３ａ以外の面のなかで、柱状部３２の全周に亘る前端を含み、ＹＺ平面に略平行な平面までの距離が最も大きい点のことである。
【０１４３】
さらに、湾曲面３３ｃは、湾曲部３３ａの前端との交点Ｔ２における湾曲面３３ｃ側の円弧との接線と、交点Ｔ２における湾曲部３３ａ側の円弧との接線が略一致する（共通の接線となる）ように、湾曲部３３ａの前端に連設されている（図１３参照）。
【０１４４】
また、湾曲面３３ｃの上側の円弧（曲率半径が小さい円弧）と下側の円弧（曲率半径が大きい円弧）とは、それぞれの円弧の頂点Ｔにおける接線が略一致する（共通の接線となる）ように、連設されている。
【０１４５】
このように、本実施の形態１では、湾曲面３３ｃは、全体的に滑らかに連続するように形成されており、湾曲部３３ａの前端にも、滑らかに連続するように連設されている。
【０１４６】
また、図１２に示すように、湾曲面３３ｃは、頂点Ｔから頂点部３０ｅに向かうように形成された稜線Ｒ１と、頂点Ｔから頂点部３０ｆに向かうように形成された稜線Ｒ２と、頂点Ｔから頂点部３０ｇに向かうように形成された稜線Ｒ３と、頂点Ｔから上辺部３０ｂの中点に向かうように形成された稜線Ｒ４と、を有している。
【０１４７】
稜線Ｒ１およびＲ２は、湾曲面３３ｃをＹ方向一端から他端にかけてＸＺ平面で切断した断面における頂点の集合で形成される線である。また、稜線Ｒ３およびＲ４は、頂点Ｔから頂部３０ｇにかけてＸＹ平面で切断した断面における頂点の集合で形成される線である。
【０１４８】
なお、稜線Ｒ１およびＲ２は、曲率半径がそれぞれ５２．５ｍｍとなるように形成されており、稜線Ｒ３は、曲率半径が９７．５ｍｍとなるように形成されており、稜線Ｒ４は、曲率半径が７．５ｍｍとなるように形成されている。
【０１４９】
そして、本実施の形態では、湾曲面３３ｃにおける頂点Ｔを頂部とした頂点Ｔの周囲の領域を凸状部３３ｂとしている。
【０１５０】
このように、本実施の形態１では、凸状部３３ｂが、当接面３３における食い込み部側（上側）に形成されている。
【０１５１】
また、上述したように、凸状部３３ｂは、断面視で湾曲部３３ａから連続するように形成された円弧部となっている。
【０１５２】
なお、凸状部３３ｂは、上辺部３０ｂ側から見て三日月形状をしており、目元における特に下まぶたの膨らみに接触させるのにより適した形状となっている。
【０１５３】
また、全周に亘る柱状部３２の前端を含む平面（ＹＺ平面に略平行な平面）と当接面３３とで囲まれる空間内に存在する点の集合が凸集合となっている。すなわち、全周に亘る柱状部３２の前端を含む平面（ＹＺ平面に略平行な平面）と当接面３３とで囲まれる空間内の任意の２点を結ぶ線分が当該空間内に存在するように、当接面３３を凸状に形成している。
【０１５４】
そして、本実施の形態１では、電極部３０はチタンを用いて形成されている。なお、コットンシートなどの施術用部材６０として市販されている流通品の中で最も小さいものの１つとされているサイズは、６６ｍｍ×５０ｍｍである。
【０１５５】
したがって、上記サイズ以上の施術用部材６０を用いることができるように、電極部３０は、略逆三角形のＹ方向幅が約３５ｍｍ、Ｚ方向の長さが約３０ｍｍとなるようにしている。また、電極部３０の柱状部３２の本体ハウジング１１からの高さ（Ｘ方向の距離）を約７ｍｍとしている。さらに、柱状部３２の前端から凸状部３３ｂまでの高さ（Ｘ方向の距離）を約３ｍｍとしている。電極部３０のサイズを上記のようにすることで、使用者が通常使用している市販の施術用部材６０のほぼ全てを使用できるようになるため、美容装置１の使い勝手をより向上させることができる。
【０１５６】
また、上述したように、制御回路９１は、制御回路基板９０に形成されており、制御回路基板９０は、本体ハウジング１１の中空部Ｓ１内に収容されている。
【０１５７】
そして、この制御回路基板９０には、美容装置１の動作モードを切り替えるモード切替スイッチ８１のスイッチ部８１ｂが形成されている。同様に、制御回路基板９０には、電圧のレベル（電圧強度）を切り替えるレベル切替スイッチ８２のスイッチ部、および、電極部３０の温度を切り替える温度切替スイッチ８３のスイッチ部が形成されている。
【０１５８】
各スイッチ部は、制御回路基板９０に形成された導電性の回路パターンＰを介して制御回路９１に電気的に接続されている。そして、各スイッチ部と対向する部位に操作ボタン（操作子）がそれぞれ設けられている。
【０１５９】
さらに、制御回路基板９０には、複数のＬＥＤ８４が実装されており、各ＬＥＤ８４は、それぞれ、制御回路基板９０に形成された導電性の回路パターンＰを介して制御回路９１に電気的に接続されている。
【０１６０】
そして、各ＬＥＤ８４と対向するように導光部が形成されており、この導光部は、本体ハウジング１１に露出するように形成されている。
【０１６１】
このとき、操作ボタン８１ａ、操作ボタン８２ａ、および、操作ボタン８３ａを光透過性を有する部材で形成し、これらの操作ボタンを導光部として機能させるようにすることができる。
【０１６２】
この場合、各操作ボタンは、ＬＥＤ８４から照射された光を外部に透過させる機能、すなわち、表示部としての機能も有することとなる。
【０１６３】
また、操作ボタンを操作することで、モードやレベル、温度が切り替えられた際には、視認される光の状態（色、光量、点滅等の点灯時間）を変化させるようにするのが好ましい。
【０１６４】
こうすれば、使用者が操作ボタン８１ａから透過される光を視認することで、美容装置１がいずれのモードで動作しているのかを確認することができる。
【０１６５】
また、使用者が操作ボタン８２ａから透過される光を視認することで、電圧のレベル（電圧強度）がいずれのレベルとなっているのかを確認することができる。そして、使用者が操作ボタン８３ａから透過される光を視認することで、電極部３０の温度がいずれの温度となっているのかを確認することができる。
【０１６６】
なお、充電池９２の電池残量が少なくなったときに、通常使用とは異なる色を照射したり、光量を減少させたりすることで、充電が必要か否かを使用者に報知できるようにしてもよい。
【０１６７】
また、各操作ボタンとは別に導光部を設け、当該導光部に対向するようにＬＥＤ８４を制御回路基板９０に実装してもよい。
【０１６８】
モード切替スイッチ８１は、美容装置１の動作モードを切り替えることができるスイッチである。また、レベル切替スイッチ８２および温度切替スイッチ８３は所定のモードが選択された場合に、使用者の好みに合わせた設定を行うことができるスイッチである。
【０１６９】
そして、このモード切替スイッチ８１は、操作ボタン８１ａを押圧することでスイッチ部８１ｂが作動し、美容装置１の動作モードを順次切り替えることができるようになっている。
【０１７０】
ここで、本実施の形態１では、美容装置１を作動させる際に、クレンジングモード、保湿モード、および、３種類の振動モードのうちから所望のモードを適宜選択できるようにしている。
【０１７１】
具体的には、制御回路９１に、クレンジングモード、保湿モード、振動モードＡ、振動モードＢ、振動モードＣの各動作モードを記録させている。
【０１７２】
そして、図１５（ａ）に示すように、電源オフの状態で、操作ボタン８１ａを一回押圧してスイッチ部８１ｂを作動させると、電源がオンになるとともに、クレンジングモードでの動作が行われることとなる。
【０１７３】
また、クレンジングモードの状態で、操作ボタン８１ａを一回押圧してスイッチ部８１ｂを作動させると、保湿モードでの動作が行われることとなる。すなわち、美容装置１の動作モードがクレンジングモードから保湿モードに切り替えられることとなる。
【０１７４】
また、保湿モードの状態で、操作ボタン８１ａを一回押圧してスイッチ部８１ｂを作動させると、美容装置１が振動モードＡで振動することになる。すなわち、美容装置１の動作モードが保湿モードから振動モードＡに切り替えられることとなる。
【０１７５】
また、振動モードＡの状態で、操作ボタン８１ａを一回押圧してスイッチ部８１ｂを作動させると、美容装置１が振動モードＢで振動することになる。すなわち、美容装置１の動作モードが振動モードＡから振動モードＢに切り替えられることとなる。
【０１７６】
さらに、振動モードＢの状態で、操作ボタン８１ａを一回押圧してスイッチ部８１ｂを作動させると、美容装置１が振動モードＣで振動することになる。すなわち、美容装置１の動作モードが振動モードＢから振動モードＣに切り替えられることとなる。そして、振動モードＣの状態で、操作ボタン８１ａを一回押圧してスイッチ部８１ｂを作動させると、電源がオフになる。
【０１７７】
このように、本実施の形態１では、操作ボタン８１ａを押圧してスイッチ部８１ｂを作動させる度に、美容装置１の動作モードは、電源オフ、クレンジングモード、保湿モード、振動モードＡ、振動モードＢ、振動モードＣ、電源オフのループで切り換わるようになっている。
【０１７８】
このとき、モードの切り替えに合わせて、ＬＥＤ８４の消灯、点灯も切り替えられるようにするのが好ましい。
【０１７９】
上述したように、本実施の形態１では、操作ボタン８１ａを押圧することで、美容装置１の電源をオン・オフさせることもできるようになっている。すなわち、本実施の形態１では、電源がオン・オフされる現象も、美容装置の動作モードが切り替えられた結果生じるものであるとしている。なお、電源をオン・オフするスイッチおよび操作子をモード切替スイッチ８１とは別に設けるようにしてもよい。
【０１８０】
また、本実施の形態１では、美容装置１の動作モードがクレンジングモードもしくは保湿モードである場合に、電圧のレベル（電圧強度）を、弱、中、強のうちから適宜選択できるようにしている。
【０１８１】
具体的には、制御回路９１に、弱、中、強の各レベルを記録させている。
【０１８２】
そして、図１５（ｂ）に示すように、初期状態では、電圧のレベル（電圧強度）は、弱に設定されている。すなわち、初めて使用する際に、電源をオンにして、クレンジングモードもしくは保湿モードを選択しただけの状態では、電圧のレベル（電圧強度）は、弱となっている。
【０１８３】
また、電圧のレベル（電圧強度）が弱に設定されている状態で、操作ボタン８２ａを一回押圧してレベル切替スイッチ８２のスイッチ部を作動させると、電圧のレベル（電圧強度）が、弱から中に切り替えられる。
【０１８４】
また、電圧のレベル（電圧強度）が中に設定されている状態で、操作ボタン８２ａを一回押圧してレベル切替スイッチ８２のスイッチ部を作動させると、電圧のレベル（電圧強度）が、中から強に切り替えられる。
【０１８５】
また、電圧のレベル（電圧強度）が強に設定されている状態で、操作ボタン８２ａを一回押圧してレベル切替スイッチ８２のスイッチ部を作動させると、電圧のレベル（電圧強度）が、強から弱に切り替えられる。
【０１８６】
このように、本実施の形態１では、操作ボタン８２ａを押圧してレベル切替スイッチ８２のスイッチ部を作動させる度に、電圧のレベル（電圧強度）は、弱、中、強、弱のループで切り換わるようになっている。
【０１８７】
このとき、レベルの切り替えに合わせて、ＬＥＤ８４の消灯、点灯も切り替えられるようにするのが好ましい。
【０１８８】
なお、本実施の形態１では、一度設定したレベルが制御回路９１に記憶される。そのため、いずれかのレベルを設定したまま、電源をオフにし、その後、再度使用する際に、電源をオンにした場合には、前回設定したレベルのままとなっている。
【０１８９】
このように、レベル切替スイッチ８２を設け、電極通電モードにおいて、電極部３０を介して肌に通電させる電気の強さを変化させるようにすることで、使用者の好みに合うレベル（例えば、使用者が傷みを感じないレベル）で使用することができるようになる。
【０１９０】
また、本実施の形態１では、美容装置１の動作モードが全モードの場合（クレンジングモード、保湿モード、振動モードＡ、振動モードＢ、振動モードＣである場合）において、電極部３０の温度を、低、高、切のうちから適宜選択できるようにしている。
【０１９１】
具体的には、制御回路９１に、低、高、切の場合における電極部３０の温度を記録させている。
【０１９２】
そして、図１５（ｃ）に示すように、初期状態では、電極部３０の温度は、低に設定されている。すなわち、初めて使用する際に、電源をオンにした状態（動作モードはいずれであっても構わない）では、電極部３０の温度は、低となっている。
【０１９３】
また、電極部３０の温度が低に設定されている状態で、操作ボタン８３ａを一回押圧して温度切替スイッチ８３のスイッチ部を作動させると、電極部３０の温度が、低から高に切り替えられる。
【０１９４】
また、電極部３０の温度が高に設定されている状態で、操作ボタン８３ａを一回押圧して温度切替スイッチ８３のスイッチ部を作動させると、電極部３０の温度が、高から切に切り替えられる。
【０１９５】
また、電極部３０の温度が切に設定されている状態で、操作ボタン８３ａを一回押圧して温度切替スイッチ８３のスイッチ部を作動させると、電極部３０の温度が、切から低に切り替えられる。
【０１９６】
このように、本実施の形態１では、操作ボタン８３ａを押圧して温度切替スイッチ８３のスイッチ部を作動させる度に、電極部３０の温度は、低、高、切、低のループで切り換わるようになっている。
【０１９７】
このとき、温度の切り替えに合わせて、ＬＥＤ８４の消灯、点灯も切り替えられるようにするのが好ましい。
【０１９８】
なお、本実施の形態１では、一度設定した温度が制御回路９１に記憶される。そのため、いずれかの温度を設定したまま、電源をオフにし、その後、再度使用する際に、電源をオンにした場合には、前回設定したレベルのままとなっている。
【０１９９】
このように、温度切替スイッチ８３を設け、電極部３０の温度を変化させるようにすることで、使用者の好みや周囲温度に合わせて、電極部３０の温度を適宜設定することができるようにしている。
【０２００】
以上のように構成された美容装置１について、以下では、その動作、作用の一例を説明する。
【０２０１】
まず、イオン導出によるクレンジングを行うために、シート保持具７０を用い、コットンシートなどの施術用部材６０を、電極部３０の当接面３３を覆った状態で、電極部３０に保持する。その後、施術用部材６０に美容液が十分に浸透するまで含浸させる。こうして、美容装置１を使用する前の準備が完了する。
【０２０２】
そして、操作ボタン８１ａを一回押圧してスイッチ部８１ｂを作動させる。すると、美容装置１の電源がオンとなり、クレンジングモードに入る。
【０２０３】
なお、電源をオンにしたばかりの状態では電極部３０の温度は冷えているため、クレンジングモードが選択されると、まず、１分間の予熱モードが開始される。この予熱モード時に、ＬＥＤ８４を点滅させるようにすれば、予熱モードであることを使用者に報知することができる。
【０２０４】
そして、予熱モードが終了した後、ＬＥＤ８４が常時点灯に移行する。かかる状態で、電極パネル２１に触れながら電極部３０を肌に当接させると、イオン導出によるクレンジングが開始される。このクレンジングモードは、クレンジング開始されてから３分後に終了する。
【０２０５】
なお、予熱モードが完了する前に、使用者が電極パネル２１に触れながら電極部３０を肌に約３秒間当接させた場合には、予熱モードは終了される。その後、イオン導出によるクレンジングが開始される。この場合もクレンジングモードは、クレンジングが開始されてから３分後に終了する。
【０２０６】
クレンジングモード終了後、モード切替スイッチ８１の操作ボタン８１ａを１回押すと、１分間の予熱モード後、保湿モードに入る。保湿モードにおいても、クレンジングモードと同様に電極パネル２１に触れながら電極部３０を肌に当接させると、イオン導入による保湿が開始される。この保湿モードは、イオン導入による保湿が開始されてから３分後に終了する。
【０２０７】
また、予熱モードが完了する前に、使用者が電極パネル２１に触れながら電極部３０を肌に約３秒間当接させた場合には、予熱モードは終了される。その後、イオン導入による保湿が開始される。この場合も保湿モードは、イオン導入による保湿が開始されてから３分後に終了する。
【０２０８】
図１６（ａ）は、クレンジングモードが選択された状態での通電時における通電特性を示す図である。
【０２０９】
図１６（ａ）に示すように、クレンジングモードが選択された場合に、電極パネル２１と電極部３０とが通電されると、パルス状の電圧が印加されることとなる。本実施の形態では、周波数３ｋＨｚ、デューティ比５０％のパルス状の電圧が印加される。このとき、所定時間（２５ｍｓ）経過する度に、＋と-が逆転するように、＋Ａボルトの電圧と-Ａボルトの電圧が交互に印加されることになる。
【０２１０】
このように、所定時間（２５ｍｓ）経過する度に、＋と-が逆転するように、＋Ａボルトの電圧と-Ａボルトの電圧を交互に印加することで、肌と電極部３０との間に電位差を生じさせ、肌の汚れを浮き上がらせたり、美容液を肌に浸透させたりすることができる。こうして、肌のクレンジングが行われる。
【０２１１】
なお、クレンジング中、-Ａボルトの電圧のみを印加するようにして、主に肌の汚れを浮き上がらせるようにすることも可能である。
【０２１２】
図１６（ｂ）は、保湿モードが選択された状態での通電時における通電特性を示す図である。
【０２１３】
図１６（ｂ）に示すように、保湿モードが選択された場合に、電極パネル２１と電極部３０とが通電されると、パルス状の電圧が印加されることとなる。本実施の形態では、周波数３ｋＨｚ、デューティ比５０％のパルス状の電圧が印加される。このとき、保湿が行われている間中、＋Ａボルトの電圧のみが印加されるようにしている。
【０２１４】
このように、＋Ａボルトの電圧のみが印加されるようにすることで、肌と電極部３０との間に電位差を生じさせ、美容液を肌に浸透させることができる。こうして、肌の保湿が行われる。
【０２１５】
ところで、使用者によって人体における抵抗値が異なっており、同じ強度の電圧を印加した場合の感じ方は人それぞれである。すなわち、同じ強度の電圧を印加した場合であっても、痛みを感じる人もいれば、あまり痛みを感じない人もいる。また、人の通電に対する嗜好性も様々である。
【０２１６】
そこで、上述したように、本実施の形態１では、クレンジングモードや保湿モードにおいては、通電レベルを切替えることにより、使用者が不快とならない強、中、弱の３段階のレベルを設定できるようにしている。
【０２１７】
この通電レベルは、例えば、強が１０ボルト、中が７．５ボルト、弱が５ボルトとなるように設定することができる。
【０２１８】
そして、保湿モードが完了した後に、モード切替スイッチ８１の操作ボタン８１ａを１回押すと、振動モードＡに入る。
【０２１９】
ここで、本実施の形態１では、振動部５０を作動させる際に、３種類のモードのうちから所望のモードを適宜選択できるようにしている。
【０２２０】
具体的には、保湿モードの状態で、操作ボタン８１ａを一回押圧してスイッチ部８１ｂを作動させると、振動部５０が振動モードＡで振動することになる。また、振動モードＡの状態で、操作ボタン８１ａを一回押圧してスイッチ部８１ｂを作動させると、振動部５０が振動モードＢで振動することになる。すなわち、振動部５０が振動モードＡから振動モードＢに切り替えられることとなる。
【０２２１】
さらに、振動モードＢの状態で、操作ボタン８１ａを一回押圧してスイッチ部８１ｂを作動させると、振動部５０が振動モードＣで振動することになる。すなわち、振動部５０が振動モードＢから振動モードＣに切り替えられることとなる。そして、振動モードＣの状態で、操作ボタン８１ａを一回押圧してスイッチ部８１ｂを作動させると、電源がオフになる。
【０２２２】
上述した３種類の振動モードのシーケンス図をそれぞれ、図１７（ａ）、図１７（ｂ）、図１７（ｃ）に示している。
【０２２３】
各図の縦軸は、振動部５０の動作（動作がオンであるかオフであるか）を示している。そして、横軸は時間（単位はｍｓ）を示している。
【０２２４】
振動モードＡは、図１７（ａ）に示すように、７５ｍｓ周期で動作のオン・オフが繰り返されている（オン時間が２０ｍｓでオフ時間が５５ｍｓ）。
【０２２５】
このようなモードで振動部５０を振動させると、単調な振動が繰り返されることとなる。
【０２２６】
一方、振動モードＢでは、図１７（ｂ）に示すように、動作がオフとなっている時間とオンとなっている時間をあわせると５０ｍｓとなっている。すなわち、５０ｍｓ周期で一回の動作のオン・オフが行われている。
【０２２７】
そして、０ｍｓから５００ｍｓまでは、動作をオンにしている時間が１つ前の動作オン時間と同じか増加（この場合、動作をオフにしている時間が減少する）している。一方、５００ｍｓから１０００ｍｓまでは、動作をオンにしている時間が１つ前の動作オン時間と同じか減少（この場合、動作をオフにしている時間が増加する）している。
【０２２８】
このように、振動モードＢでは、１０００ｍｓ周期で、動作をオンにしている時間を増加させたり・減少させたりしている。
【０２２９】
このようなモードで振動部５０を振動させると、振動の強弱が穏やかに変化するリズム振動となる。
【０２３０】
そして、振動モードＣは、図１７（ｃ）に示すように、動作がオフとなっている時間とオンとなっている時間を合わせた時間が２４２ｍｓ（オン時間が１００ｍｓでオフ時間が１４２ｍｓ）で、一回のオン・オフの動作が長い場合がある。
【０２３１】
また、動作がオフとなっている時間とオンとなっている時間を合わせた時間が９１ｍｓ（オン時間が２５ｍｓでオフ時間が６６ｍｓ）で、一回のオン・オフの動作が短い場合がある。そして、長い場合と短い場合とが交互に現れるようにしている。
【０２３２】
このようなモードで振動部５０を振動させると、振動の強弱が激しく変化するリズム振動となる。
【０２３３】
人の振動に対する嗜好性は様々であるため、１種類の振動モードで多くの人の嗜好性に対応させるようにすることは困難である。しかしながら、本実施の形態１のように、３種類の著しく異なった振動モードを持ち合わせるようにすることで、より多くの人の嗜好性に対応することができるようになる。
【０２３４】
そして、マッサージクリーム、美容液、アイクリームなどの剤を肌に塗布したのち、いずれかの振動モードを選択した状態で、肌を施術する。このとき、電極部３０の食い込み部で肌のリフトアップを行ったり、凸状部で目もとの膨らみを施術したりすることができる。こうすることで、肌のたるみや目もとのしわを解消することができるようになる。
【０２３５】
以上、説明したように、本実施の形態１では、美容装置１は、外郭を構成する本体ハウジング１１と、本体ハウジング１１に設けられ、使用者の肌に接触して通電する電極部３０と、を有している。そして、電極部３０は、肌に食い込んで肌を押圧する食い込み部（湾曲部３３ａ）を有している。
【０２３６】
これにより、食い込み部（湾曲部３３ａ）が肌に食い込んで、肌が押圧されることとなるため、食い込み部（湾曲部３３ａ）によって肌を引っ掛けて押すことが可能となる。
【０２３７】
したがって、食い込み部（湾曲部３３ａ）を肌に食い込ませた状態で美容装置１を平行移動させた場合、食い込み部（湾曲部３３ａ）が肌を引っ張った状態で肌上を移動することとなるため、肌をリフトアップさせることができるようになる。このように、電極部３０に食い込み部（湾曲部３３ａ）を設けることで、肌の施術の際に、肌のたるみや目元のしわなどを解消するリフトアップ効果が得られるようになる。
【０２３８】
また、本実施の形態１では、本体ハウジング１１の一端１１ａに電極部３０が取り付けられており、本体ハウジング１１の他方側には、電極部３０の本体ハウジング１１への取付方向（Ｘ方向）と交差する方向に延在する把持部２０を有している。
【０２３９】
そして、電極部３０の本体ハウジング１１への取付方向（Ｘ方向）が水平となるようにするとともに、把持部２０の先端が下端となるようにした状態で、電極部３０の上部に食い込み部（湾曲部３３ａ）が形成されている。
【０２４０】
これにより、電極部３０が把持部２０の上方に位置する状態で、把持部２０を手で把持した際、すなわち、美容装置１の通常の使用状態で、電極部３０の上部に食い込み部（湾曲部３３ａ）が存在することになる。
【０２４１】
こうすれば、力を入れやすい通常の使用状態での施術によって、肌をリフトアップさせやすくなるため、リフトアップさせるための動作が使用者の負担とならないようにすることができる。その結果、施術をより長時間にわたって行うことができるようになる。
【０２４２】
また、本実施の形態１では、電極部３０は、肌に当接する当接面３３と、柱状に形成される柱状部３２と、を有しており、当接面３３は、凸状に形成された凸状部３３ｂを有している。そして、凸状部３３ｂが、当接面３３における食い込み部（湾曲部３３ａ）側に形成されている。
【０２４３】
これにより、電極部３０の当接面３３における凸状部３３ｂ以外の部位が、肌のどこかに当接する前に、凸状部３３ｂを肌の施術予定部位に当接させることが可能となる。
【０２４４】
特に、目元の施術の際には、電極部３０の当接面３３における凸状部３３ｂ以外の部位が、顔のどこかに当接する前に、凸状部３３ｂを目元における特に下まぶたの膨らみに当接させることが可能となる。つまり、下まぶたの膨らみにのみ電極部３０（凸状部３３ｂ）を当接させることができるようになる。
【０２４５】
したがって、下まぶたの膨らみ以外の部位に電極部３０を当接させることなく、目元に押圧をかけて施術することが可能となり、目元のしわをより効果的に解消することができるようになる。
【０２４６】
さらに、食い込み部は、電極部３０の当接面３３における柱状部３２との境界に形成された湾曲部３３ａであり、凸状部３３ｂは、断面視で湾曲部３３ａから連続するように形成された円弧部となっている。
【０２４７】
これにより、当接面３３の凸状部３３ｂ以外の部位である食い込み部（湾曲部３３ａ）と凸状部３３ｂとが滑らかに連続して形成されることとなり、食い込み部（湾曲部３３ａ）によるリフトアップ時に凸状部３３ｂが骨などに引っ掛かってしまうのが抑制される。その結果、リフトアップ時に使用者が痛みを感じてしまうのが抑制され、よりスムーズにリフトアップを行うことができるようになる。
【０２４８】
以上、本発明の好適な実施形態について説明したが、本発明は上記実施形態には限定されず、種々の変形が可能である。
【０２４９】
例えば、上記実施の形態１では、美容装置１の使用方法として施術用部材６０を電極部３０に固定した状態で使用する方法を例示した。しかしながら、美容装置１を使用する際に、施術用部材６０を電極部３０に固定する必要はなく、施術用部材６０を取り外して使用することも可能である。
【０２５０】
例えば、使用者の好みにあわせて、施術用部材６０を電極部３０に装着したり、電極部３０から外したりすることも可能である。
【０２５１】
また、本体ハウジングや把持部、その他細部のスペック（形状、大きさ、レイアウト等）も適宜に変更可能である。
【産業上の利用可能性】
【０２５２】
以上のように、本発明にかかる美容装置は、振動リズムを与えながら、食い込み部でリフトアップや凸状部で集中施術が可能となるので、使用者の腕や脚、腰回りにおける美容装置等の用途にも適用できる。
【符号の説明】
【０２５３】
１  美容装置
１１  本体ハウジング
１１ａ  一端
２０  把持部
３０  電極部
３２  柱状部
３３  当接面
３３ａ  湾曲部（食い込み部）
３３ｂ  凸状部
【図１】
0006264693.tif 000002
【図２】
0006264693.tif 000003
【図３】
0006264693.tif 000004
【図４】
0006264693.tif 000005
【図５】
0006264693.tif 000006
【図６】
0006264693.tif 000007
【図７】
0006264693.tif 000008
【図８】
0006264693.tif 000009
【図９】
0006264693.tif 000010
【図１０】
0006264693.tif 000011
【図１１】
0006264693.tif 000012
【図１２】
0006264693.tif 000013
【図１３】
0006264693.tif 000014
【図１４】
0006264693.tif 000015
【図１５】
0006264693.tif 000016
【図１６】
0006264693.tif 000017
【図１７】
0006264693.tif 000018